(57)【要約】【課題】  障子の浮き上がりや傾きを防止してバール等による破壊行為に対する抵抗力を高めることのできるサッシ用クレセントの提供。【解決手段】  鎌保持具１と鎌受け具２とを備え、鎌保持具１は、操作レバー３と、操作レバーの回動により回転する鎌４と、操作レバーの回動により室内外方向に移動するデッドボルト５とを有し、且つ障子６に固定してあり、鎌受け具２は、鎌受け部７と、デッドボルト受け部８とを有し、且つ他方の障子９又は枠に固定してあり、鎌４が鎌受け部７に係合しているときにデッドボルト５がデッドボルト受け部８に係合していることを特徴とする。【選択図】      図１
2006028941.tif 000002
【特許請求の範囲】
【請求項１】
鎌保持具と鎌受け具とを備え、鎌保持具は、操作レバーと、操作レバーの回動により回転する鎌と、操作レバーの回動により室内外方向に移動するデッドボルトとを有し、且つ障子に固定してあり、鎌受け具は、鎌受け部と、デッドボルト受け部とを有し、且つ他方の障子又は枠に固定してあり、鎌が鎌受け部に係合しているときにデッドボルトがデッドボルト受け部に係合していることを特徴とするサッシ用クレセント。
【請求項２】
鎌保持具と鎌受け具とデッドボルト受け具とを備え、鎌保持具は、操作レバーと、操作レバーの回動により回転する鎌と、操作レバーの回動により室内外方向に移動するデッドボルトとを有し、且つ障子に固定してあり、鎌受け具は、鎌受け部を有し且つ他方の障子又は枠に固定してあり、デッドボルト受け具は、デッドボルト受け部を有し且つ他方の障子又は枠に固定してあり、鎌が鎌受け部に係合しているときにデッドボルトがデッドボルト受け部に係合していることを特徴とするサッシ用クレセント。
【請求項３】
鎌保持具と、鎌受け具と、デッドボルト保持具と、デッドボルト受け具と、連動部材とを備え、鎌保持具は、操作レバーと、操作レバーの回動により回転する鎌とを有し、且つ障子に固定してあり、鎌受け具は、鎌受け部を有し且つ他方の障子又は枠に固定してあり、デッドボルト保持具は、室内外方向に移動するデッドボルトを有し且つ鎌保持具と間隔をおいて障子に固定してあり、デッドボルト受け具は、デッドボルト受け部を有し且つ鎌受け具と間隔をおいて他方の障子又は枠に固定してあり、連動部材は、鎌保持具とデッドボルト保持具との間に位置し、操作レバーの回動に連動してデッドボルトを室内外方向に移動するものであり、鎌が鎌受け部に係合しているときにデッドボルトがデッドボルト受け部に係合していることを特徴とするサッシ用クレセント。
【請求項４】
デッドボルト受け部は貫通孔であり、デッドボルトは、室外方向に付勢して設けてあり、貫通孔を貫いて他方の障子の室内側面又は枠の室内側面に当接していることを特徴とする請求項１、２又は３記載のサッシ用クレセント。
【発明の詳細な説明】
【技術分野】
【０００１】
本発明は、防犯性を高めたサッシ用クレセントに関するものである。
【背景技術】
【０００２】
従来の引き違いのサッシは、召し合せ框に設置した一個のクレセントの鎌だけで、内外障子の締り機能、引き寄せ機能（内外障子の召し合せ框を互いに引き寄せる機能）、引き分け機能（内外障子の戸当り框を左右の縦枠にそれぞれ押し付ける機能）の全てを負担している。近年、バール等の破壊工具による手荒な破壊行為を行って侵入する窃盗等が増加している。従来のクレセントは、そのような手荒な破壊行為に対して弱く、例えばバールを障子下部と下枠の間に差し入れ、てこの原理で片方の障子を持ち上げるようにすることで、クレセントの鎌や鎌受けが破壊されたり、クレセントの鎌が鎌受けから抜けたりすることがある。クレセントが破壊されるのを防ぐには、クレセントの鎌や鎌受けの強度をアップすることが考えられるが、引き分け・引き寄せ機能、コスト、クリアランス等の設計上の問題があり、鎌や鎌受け単体を強化するには限度がある。またクレセントは、その構造上、片方の障子に上下方向で強い力を加えた場合に、障子が浮き上がって鎌が鎌受けから抜けようとするのを阻止できない。
【０００３】
特許文献１には、内障子の召し合せ框上部に、クレセントの鎌の回転に連動して動く回動ロック片を設け、回動ロック片を外障子に設けたストッパ片に係止することで、クレセントによる施錠を補完できるようにしたものが記載されている。これによれば、障子をバール等でこじ開けようとすることに対する抵抗力を、クレセントのみによる場合よりも増大することができるが、障子に上下方向の力が加えられた場合に、障子の浮き上がりや傾きを阻止できるものではなかった。
【特許文献１】実用新案登録第３０８６１４８号公報
【発明の開示】
【発明が解決しようとする課題】
【０００４】
本発明は、以上に述べた実情に鑑みてなされたものであって、障子の浮き上がりや傾きを防止して、バール等による破壊行為に対する抵抗力を高めることのできるサッシ用クレセントの提供を目的とする。
【課題を解決するための手段】
【０００５】
上記の課題を達成するために、請求項１記載の発明によるサッシ用クレセントは、鎌保持具と鎌受け具とを備え、鎌保持具は、操作レバーと、操作レバーの回動により回転する鎌と、操作レバーの回動により室内外方向に移動するデッドボルトとを有し、且つ障子に固定してあり、鎌受け具は、鎌受け部と、デッドボルト受け部とを有し、且つ他方の障子又は枠に固定してあり、鎌が鎌受け部に係合しているときにデッドボルトがデッドボルト受け部に係合していることを特徴とする。
【０００６】
請求項２記載の発明によるサッシ用クレセントは、鎌保持具と鎌受け具とデッドボルト受け具とを備え、鎌保持具は、操作レバーと、操作レバーの回動により回転する鎌と、操作レバーの回動により室内外方向に移動するデッドボルトとを有し、且つ障子に固定してあり、鎌受け具は、鎌受け部を有し且つ他方の障子又は枠に固定してあり、デッドボルト受け具は、デッドボルト受け部を有し且つ他方の障子又は枠に固定してあり、鎌が鎌受け部に係合しているときにデッドボルトがデッドボルト受け部に係合していることを特徴とする。
【０００７】
請求項３記載の発明によるサッシ用クレセントは、鎌保持具と、鎌受け具と、デッドボルト保持具と、デッドボルト受け具と、連動部材とを備え、鎌保持具は、操作レバーと、操作レバーの回動により回転する鎌とを有し、且つ障子に固定してあり、鎌受け具は、鎌受け部を有し且つ他方の障子又は枠に固定してあり、デッドボルト保持具は、室内外方向に移動するデッドボルトを有し且つ鎌保持具と間隔をおいて障子に固定してあり、デッドボルト受け具は、デッドボルト受け部を有し且つ鎌受け具と間隔をおいて他方の障子又は枠に固定してあり、連動部材は、鎌保持具とデッドボルト保持具との間に位置し、操作レバーの回動に連動してデッドボルトを室内外方向に移動するものであり、鎌が鎌受け部に係合しているときにデッドボルトがデッドボルト受け部に係合していることを特徴とする。
【０００８】
請求項４記載の発明によるサッシ用クレセントは、上記の構成に加え、デッドボルト受け部は貫通孔であり、デッドボルトは、室外方向に付勢して設けてあり、貫通孔を貫いて他方の障子の室内側面又は枠の室内側面に当接していることを特徴とする。
【発明の効果】
【０００９】
請求項１記載の発明によるサッシ用クレセントは、鎌保持具に、操作レバーの回動により室内外方向に移動するデッドボルトを有し、鎌が鎌受け部に係合したときにデッドボルトが鎌受け具のデッドボルト受け部に係合するので、バール等の破壊工具により障子に上下や左右方向の力を加えた場合にでも、障子の浮き上がりや傾きを防止できる。また、鎌とデッドボルトの両方が鎌受け具に係合することで、鎌だけの場合よりも破壊行為に対する物理的な抵抗力が増大する。さらに、鎌とデッドボルトが室外から視認できるようにすることで、犯罪者に侵入を諦めさせる心理的効果も期待できる。また、従来のクレセントと同様、鎌保持具を障子に、鎌受け具を他方の障子又は枠に固定するだけでよく、サッシへの取付けが容易である。
【００１０】
請求項２記載の発明によるサッシ用クレセントは、鎌保持具に、操作レバーの回動により室内外方向に移動するデッドボルトを有し、鎌が鎌受け部に係合したときにデッドボルトがデッドボルト受け具のデッドボルト受け部に係合するので、バール等の破壊工具により障子に上下や左右方向の力を加えた場合にでも、障子の浮き上がりや傾きを防止できる。また本発明のものは、鎌とデッドボルトの両方が係合することで、鎌だけの場合よりも破壊行為に対する物理的な抵抗力が増大することに加え、鎌受け部を有する鎌受け具と、デッドボルト受け部を有するデッドボルト受け具とに分かれていることで、クレセントにバール等で無理な力を加えた場合に、鎌受け部とデッドボルト受け部に掛かる力が他方側に伝わらないから、より壊れ難くなる。
【００１１】
請求項３記載の発明によるサッシ用クレセントは、鎌とデッドボルトが、離れた位置で鎌受け部とデッドボルト受け部にそれぞれ係合することで、バール等の破壊工具により障子に上下や左右方向の力を加えた場合にでも、障子の浮き上がりや傾きをより一層確実に阻止できる。また、鎌とデッドボルトが離れた位置にあっても、操作レバーを回動するだけで鎌とデッドボルトの両方が動くので、施解錠操作が簡便に行える。さらに、鎌保持具とデッドボルト保持具とが間隔をおいて設けてあり、その一方に掛かる力が他方に伝わり難く、個々に力を加えて破壊しなければならないことから、防犯性が高まる。
【００１２】
請求項４記載の発明は、デッドボルトは室外方向に付勢して設けてあり、貫通孔となったデッドボルト受け部を貫いて他方の障子の室内側面又は枠の室内側面に当接しているので、内外障子の間隔を広げてデッドボルトをデッドボルト受けから抜こうとしても容易に抜くことができず、デッドボルトのデッドボルト受け部に対する係合が保持されるので防犯効果が高められる。また、デッドボルトが他方の障子（例えばガラス）又は枠を破損することがない。
【発明を実施するための最良の形態】
【００１３】
以下、本発明の実施の形態を図面に基づいて説明する。図１から図７は、本発明のサッシ用クレセントの一実施形態を示している。このサッシ用クレセントは、図１から図４に示すように、内障子６の召し合せ框１５の外周側面に固定した鎌保持具１と、外障子９の召し合せ框１６の室内側に、ガラス１７に沿って内周側に突設して設けた鎌受け具２とで構成されている。
【００１４】
鎌保持具１は、図２に示すように、水平軸１８を支点として上下に１８０°回動する操作レバー３と、操作レバー３と一体となって回転する鎌４と、操作レバー３の回動により室内外方向に移動するデッドボルト５と、操作レバー３の回動を規制するトリガーボルト１９及び解除操作部２２とを有している。鎌受け具２は、鎌４が係合する鎌受け部７と、デッドボルト５が係合するデッドボルト受け部８を有している。デッドボルト受け部８は、デッドボルト５がガタのない状態で係合する貫通孔となっている。
【００１５】
次に鎌保持具１の内部構造について説明する。鎌保持具１は、図２に示すように、ケース２３内の底部に基板２４を備え、基板２４上に上下にスライドするスライド板２５を有している。図５（ａ）は、解錠して障子を開けた状態における鎌保持具１の裏面図であり、図５（ｂ）はこのときのスライド板２５の高さ位置を示しており、図５（ｃ）はこの状態で基板とスライド板を外したときの鎌保持具１内部を示している。鎌４は、操作レバー３と同一の水平軸１８に軸支され、操作レバー３とピン２６で連結してある。ピン２６は、スライド板２５下部に形成した略四角形の貫通孔２７を貫通し、端部を基板２４に形成した円弧状溝２８に挿通している。操作レバー３を解錠位置から施錠側に回動させると、鎌４もそれに伴って回転し、且つピン２６が移動することによりスライド板２５が上方に移動することとなる（図６（ｂ）参照。）。基板２４の裏側には、スプリング２９を用いた付勢アーム３０を設けてある。付勢アーム３０は、手動による操作レバー３の回動操作を補助すると共に、操作レバー３を施錠位置又は解錠位置に落ち着かせる働きがある。
【００１６】
トリガーボルト１９は、図５（ｃ）に示すように室内側からスプリング３１で付勢し、ケース２３から室外側に突出している。トリガーボルト１９は、ケース２３内において角棒３２を貫通して設けてあり、角棒３２はスライド板２５の中央部に形成した略四角形の貫通孔３３を貫通し、端部を基板２４に形成した横向きの長孔３４に挿通している。貫通孔３３は、その上部の室外側に角棒の係合部３５を有している。トリガーボルト１９は、障子を開けた状態では、図４に示すように先端が鎌受け具２の室内側面よりも突出しており、このとき図５（ｂ）に示すように、角棒３２が貫通孔の係合部３５に係合し、スライド板２５の上方移動が阻止される。これにより鎌４の空掛けを防止できる。障子を閉めると、トリガーボルト１９は鎌受け具２に乗り上げて室内側に移動し、角棒３２が係合部３５から抜けてスライド板２５が上方に移動可能となる。
【００１７】
デッドボルト５は、図５（ｃ）に示すように室内側からスプリング３６で付勢し、ケース２３から室外側に突出可能に設けてある。デッドボルト５の近傍には、スライド板２５の上下動を室内外方向の動きに変換してデッドボルトに伝えるカム部材３７を設けてある。カム部材３７は、基板２４から立設した支軸３８に回動自在に軸支してあり、カム部材３７に固定して設けた２本のピンの内の上側のピン３９ａを、デッドボルト５に形成した室内外方向の長孔状の貫通孔４０に挿通し、下側のピン３９ｂをスライド板２５上部に形成した略円形の孔４１に挿通している。デッドボルト５は、スライド板２５が最も下に位置した解錠時には、図５（ａ）に示すように最も室内側に移動した位置にあり、操作レバー３を施錠側に回動するにつれて、図６（ｂ）に示すように室外側に移動し、施錠時において図６（ｃ）に示すように最も室外側に突出する。デッドボルト５の室外側端部には、クッションゴム４２を突出して設けてある。
【００１８】
解除操作部２２は、図５（ｃ）に示すように、鎌４の外周に沿う鎌ガイド部４３を有し、スプリング４４で下向きに付勢し、下端部をケース２３から下方に突出している。図６（ｃ）に示すように、鎌４が施錠位置まで回転すると、鎌ガイド部４３から鎌４が抜けるために解除操作部２２が下向きに移動する。すると、鎌４が鎌ガイド部４３の入口側端部に引っ掛かるために鎌４が回転不能となり、解錠するためには解除操作部２２を上方に押しながら操作レバー３を回動する必要がある。さらに本クレセントは、図１と図２に示すように、操作レバー３にダイヤル２０を備えており、ダイヤル２０の周囲に付されている目盛り２１を所定の値に合わせた上でないと、操作レバー３を解錠側に動かせない構造となっている。
【００１９】
本クレセントは以上のように構成され、図１（ａ）に示すように、操作レバー３を上向きに回動させると、鎌４が操作レバー３と一緒に回転して鎌受け具２の鎌受け部７に係合し、尚且つデッドボルト５が操作レバー３の回動操作に連動して室外側に移動し、鎌受け具２のデッドボルト受け部８を貫通して外障子のガラス１７の室内側面に当接する。このように本クレセントは、鎌４とデッドボルト５が鎌受け具２に同時に係合して、厳重に施錠される。鎌４と鎌受け部７は、従来のクレセントと同じように、内外障子６，９の締り機能、引き寄せ機能、引き分け機能を負担する。これに加えてデッドボルト５がデッドボルト受け部８に係合することで、内外障子の召し合せ框１５，１６が上下方向に相対的にずり動くことを阻止し、内外障子６，９の浮き上がりや傾きを阻止する。
【００２０】
またデッドボルト５は、スプリング３６で室外向きに付勢してあって、且つカム部材のピン３９ａの貫通孔４０を室内外方向の長孔状としてあることで、図７に示すように、デッドボルト５の先端が外障子のガラス１７の室内側面に当接した位置で停止し、スプリング３６の力でガラス１７を常に押す状態となる。そのため、内外障子の召し合せ框１５，１６の隙間にバール等をこじ入れてデッドボルト５をデッドボルト受け部８から抜こうとした場合でも、デッドボルト５先端がガラス１７に当接した状態を維持でき、容易に抜けることがない。また、ガラス１７の厚みや内外障子６，９のクリアランスが多少変更になったときでも、施錠時にデッドボルト５をガラス１７に確実に当接することができ、且つデッドボルト５はガラス１７に当接する位置で停止するので、デッドボルト５の押し付けによってガラス１７が割れるのを防止できる。さらにデッドボルト５先端にクッションゴム４２を取付けたことで、ゴムの摩擦力によりデッドボルト５とガラス１７間の上下の位置ずれを防止できるし、当接時にガラス１７に傷が付くのも防止できる。
【００２１】
図１（ｂ）に示すように、操作レバー３を下向きに回動すると、鎌４もこれと一緒に回転して鎌受け部７から抜け、デッドボルト５も操作レバー３の回動に連動して室内側に移動してデッドボルト受け部８から抜け、解錠される。
【００２２】
図２（ａ）の鎌受け具２は、一枚の板に鎌受け部７とデッドボルト受け部８の両方を設けていたが、図８に示すように、鎌受け具２は鎌受け部７のみを有するものとし、鎌受け具２と分離する形でデッドボルト受け具５２を取付け、デッドボルト受け具５２にデッドボルト受け部８を設けたものであってもよい。またデッドボルト受け部８は、デッドボルト５と係合して障子の移動を阻止できればよく、その形状は貫通孔に限らず、例えばＣ字形の切り欠き状に形成したものであってもよい。
【００２３】
図９から図１１は、本発明のサッシ用クレセントの別の実施形態を示している。この実施形態では、これまでに説明した鎌保持具１と鎌受け具２に加えて、内障子６の召し合せ框１５上部にデッドボルト保持具１０を取り付け、外障子９の召し合せ框１６上部にデッドボルト受け具１１を取付けている。デッドボルト保持具１０は、室内外方向に移動するデッドボルト１３を有し、デッドボルト受け具１１は、デッドボルトが係合するデッドボルト受け部１４を有している。鎌保持具１とデッドボルト保持具１０の間には、棒状の連動部材１２を設けてある。連動部材１２は、下端部が鎌保持具１のスライド板２５の上部にネジ４５で固定してあり、施解錠動作に伴う鎌保持具１のスライド板２５の上下動が、連動部材１２を介してデッドボルト保持具１０に伝達される。
【００２４】
デッドボルト保持具１０は、鎌保持具１と同じようにケース４６内の底部に基板を有し、基板上に上下にスライドするスライド板４７を備えている。スライド板４７は、下端部が連動部材１２の上端部にネジ４８で固定してある。スライド板４７と連動部材１２との相対的な位置関係は、上下方向の長孔４９で調整できる。デッドボルト１３は、図１１に示すように、鎌保持具１のデッドボルト５と同じように構成してあり、スライド板４７の上下動によってカム部材３７が回転し、カム部材に設けたピン３９ａによってデッドボルト１３が室内外方向に動かされる。デッドボルト１３は、鎌保持具のデッドボルト５と連動して室内外方向に移動する。
【００２５】
図９（ａ）に示すように、操作レバー３を上向きに回動したときには、鎌４が鎌受け部７に係合すると共に、デッドボルト保持具１０のデッドボルト１３が室外側に移動してデッドボルト受け具１１のデッドボルト受け部１４を貫通し、その先端がガラス１７の室内側面に当接する。このように、鎌４とデッドボルト１３が上下に離れた位置で鎌受け部７とデッドボルト受け部１４にそれぞれ係合することで、内外障子６，９の浮き上がりや傾きを一層強力に阻止できる。図９（ｂ）に示すように、操作レバー３を下向きに回動することで、鎌４が鎌受け部７から抜け、デッドボルト５，１３がデッドボルト受け部８，１４から抜け、解錠される。
【００２６】
本発明は以上に述べた実施形態に限定されない。デッドボルト５，１３は、室内外方向に単にスライド移動するものに限らず、軸を支点として回動してケースから出没する鎌式デッドボルトとすることもできる。図１２はその場合の一実施形態を示しており、デッドボルト５は、回動するカム部材５０上にピン５１ａ，５１ｂにより摺動可能に保持し且つスプリング３６で室外側に付勢してあり、カム部材５０と共に回動してケース２３から出没し、デッドボルト受け部８に係脱する。なおカム部材５０は、スライド板２５の上下動によりピン３９ｂを上下に動かすことにより回動するものである。本発明のクレセントは、引き違いサッシに限らず片引きサッシにも用いることができ、その場合には鎌受け具２やデッドボルト受け具１１は、サッシの枠に取付ければよい。
【図面の簡単な説明】
【００２７】
【図１】本発明のサッシ用クレセントを内障子の召し合せ框の外周側から見た図であって、（ａ）は施錠したときの状態、（ｂ）は解錠したときの状態を示している。
【図２】（ａ）は外障子に取付けた鎌受け具を室内側から見た図であり、（ｂ）は内障子に取付けた鎌保持具を室内側から見た図である。
【図３】サッシの召し合せ部の横断面図であって、（ａ）はクレセントを施錠したときの状態、（ｂ）は解錠したときの状態を示している。
【図４】障子を開けた状態でのサッシ召し合せ部の横断面図である。
【図５】（ａ）は、クレセントを解錠し且つ障子を開けた状態における鎌保持具の裏面図であり、（ｂ）はこのときのスライド板の高さ位置を示しており、（ｃ）はこの状態で基板とスライド板を外したときの鎌保持具内部を示している。
【図６】スライド板の動きと鎌保持具の各部材の動きとの関係を示す図であって、（ａ）は解錠時、（ｂ）は錠操作時、（ｃ）は施錠時を示している。
【図７】鎌保持具の縦断面図であって、施錠時におけるデッドボルトの状態を示している。
【図８】鎌受け具の別の実施形態を示す正面図である。
【図９】本発明のサッシ用クレセントの別の実施形態を内障子召し合せ框の外周側から見た図であって、（ａ）は施錠したときの状態、（ｂ）は解錠したときの状態を示している。
【図１０】図９の実施形態に係るサッシ用クレセントの取付状態を示すサッシ室内側の正面図である。
【図１１】デッドボルト保持具のスライド板の動きとデッドボルトの動きとの関係を示す図であって、（ａ）は解錠時、（ｂ）は錠操作時、（ｃ）は施錠時を示している。
【図１２】デッドボルトを鎌式デッドボルトとする場合の動作機構を示す図であって、（ａ）は解錠時、（ｂ）は錠操作時、（ｃ）は施錠時を示している。
【符号の説明】
【００２８】
１  鎌保持具
２  鎌受け具
３  操作レバー
４  鎌
５，１３  デッドボルト
６  内障子（障子）
７  鎌受け部
８，１４  デッドボルト受け部
９  外障子（他方の障子）
１０  デッドボルト保持具
１１，５２  デッドボルト受け具
１２  連動部材
【図１】
2006028941.tif 000003
【図２】
2006028941.tif 000004
【図３】
2006028941.tif 000005
【図４】
2006028941.tif 000006
【図５】
2006028941.tif 000007
【図６】
2006028941.tif 000008
【図７】
2006028941.tif 000009
【図８】
2006028941.tif 000010
【図９】
2006028941.tif 000011
【図１０】
2006028941.tif 000012
【図１１】
2006028941.tif 000013
【図１２】
2006028941.tif 000014